(57)【要約】眼科装置１の制御部８０は、被検眼の隅角領域へ光を投光する投光光学系４０、および、隅角領域からの反射光を受光する受光素子を有する受光光学系６０、を持つ撮影光学系３０によって撮影された被検眼の隅角画像の画像データを取得する。そして、画像データに基づいて隅角画像をモニタ８へ表示させる。その際、更に、被検眼における上下左右とモニタ８上の隅角画像における上下左右とが一致する正立像として表示する正立表示と、正立像に対する鏡像または倒立像により表示する反転表示と、の間で隅角画像の表示方法を、制御部８０は選択する。
2018203538.tif 000002
【特許請求の範囲】
【請求項１】
被検眼の隅角領域へ光を投光する投光光学系、および、前記隅角領域からの反射光を受光する受光素子を有する受光光学系、を持つ撮影光学系によって撮影された被検眼の隅角画像の画像データを取得する、画像データ取得手段と、
前記画像データに基づいて前記隅角画像をモニタへ表示させる制御手段であって、前記被検眼における上下左右と前記モニタ上の前記隅角画像における上下左右とが一致する正立像として表示する正立表示と、前記正立像に対する鏡像または倒立像により表示する反転表示と、の間で前記隅角画像の表示方法を選択する、制御手段と、を有する眼科装置。
【請求項２】
前記撮影光学系は、隅角の全周における複数の撮影位置で前記隅角画像を撮影可能であって、
前記制御手段は、撮影位置が互いに異なる複数枚の隅角画像を、前記正立表示および反転表示のうち選択した一方の表示方法で、且つ、前記モニタ上に同時に表示させる請求項１記載の眼科装置。
【請求項３】
前記制御手段は、前記撮影位置毎に対応づけられた前記モニタ上の表示位置であって、前記モニタ上において円環状に並べられた表示位置へ、前記撮影位置が互いに異なる複数枚の前記隅角画像を、前記正立表示および反転表示のうち選択した一方の表示方法で表示させる、請求項２記載の眼科装置。
【請求項４】
前記制御手段は、前記隅角の全周における複数の撮影位置で撮影された前記隅角画像を円環状に並べてコラージュすることで円環状合成画像を生成し、前記正立表示および反転表示のうち選択した一方の表示方法で前記モニタへ表示させる請求項３記載の眼科装置。
【請求項５】
前記制御手段は、前記正立表示が選択された場合は、前記表示位置と前記被検眼における各々の前記撮影位置との対応関係を、上下左右一致させ、前記反転表示が選択された場合は、各々の表示位置と前記被検眼における各々の前記撮影位置との対応関係を、前記正立表示の場合に対して反転させる、請求項３又は４記載の眼科装置。
【請求項６】
前記制御手段は、前記隅角画像と共に、該隅角画像に関して選択されている表示方法を特定するための識別情報を前記モニタへ表示させる請求項１から５のいずれかに記載の眼科装置。
【請求項７】
前記制御手段は、前記識別情報として、前記隅角画像の撮影位置を示す情報を、前記識別情報として表示させる請求項６記載の眼科装置。
【請求項８】
前記制御手段は、前記識別情報として、前記正立表示が選択されている場合において、前記モニタ上において複数の隅角画像で囲まれた領域に対し、×印を表示させる請求項６記載の眼科装置。
【請求項９】
前記被検眼に対する前記撮影光学系のアライメント調整のために、前記被検眼に対して前記撮影光学系を、上下方向および左右方向の少なくとも一方へ、操作部に対する検者の操作に基づいて移動させる移動機構を、更に備え、
前記制御手段は、前記撮影光学系による前記隅角画像の撮影動作を、更に制御し、前記アライメント調整を行わせるために、前記隅角画像を連続的に撮影すると共に、前記隅角画像を前記正立表示で随時表示させる、請求項１から８のいずれかに記載の眼科装置。
【請求項１０】
前記制御手段は、操作部に対する検者の操作を受け付け、
前記正立表示と、前記反転表示と、の選択を前記操作に基づいて実行する請求項１から９のいずれかに記載の眼科装置。
【請求項１１】
被検眼の隅角領域へ光を投光する投光光学系、および、前記隅角領域からの反射光を受光する受光素子を有する受光光学系、を持つ撮影光学系によって撮影された被検眼の隅角画像の画像データを、取得する画像データ取得手段と、
前記画像データに基づいて前記隅角画像をモニタへ表示させると共に、前記隅角領域上の位置を前記隅角画像の全体または一部と対応付けて示す位置指標を前記モニタ上に出力する、制御手段と、を有する眼科装置。
【請求項１２】
前記制御手段は、前記隅角画像において描写される前記隅角領域の向きを特定する情報を、前記位置指標として出力する、請求項１１記載の眼科装置。
【請求項１３】
前記画像データ取得手段は、前記隅角画像の画像データと共に、前記隅角画像の撮影位置を示す撮影位置データを取得し、
前記制御手段は、前記モニタ上に表示される前記隅角画像と対応する前記撮影位置データに基づいて、前記位置指標を出力する請求項１１又は１２記載の眼科装置。
【請求項１４】
前記撮影光学系は、隅角の全周における撮影位置を撮影位置切換部の駆動に基づいて切換可能であり、
前記撮影位置データは、前記隅角画像の撮影時における撮影位置切換部の状態を示すデータである請求項１３記載の眼科装置。
【請求項１５】
前記制御手段は、前記撮影位置が互いに異なる複数枚の前記隅角画像を、前記モニタへ同時に表示させると共に、前記モニタに表示される複数枚の前記隅角画像のうち、一部または全部に対して、前記位置指標を対応付けて表示する請求項１１から１３のいずれかに記載の眼科装置。
【請求項１６】
前記制御手段は、複数枚の前記隅角画像を同時に表示するときにおける、各々の前記隅角画像のモニタ上の表示位置を、各々の隅角画像における前記隅角領域上の撮影位置に応じて設定する請求項１５記載の眼科装置。
【請求項１７】
前記制御手段は、前記撮影位置が互いに異なる複数枚の前記隅角画像をコラージュして合成画像を得ると共に、前記合成画像として複数枚の隅角画像をモニタ上に表示させ、
前記合成画像の一部の画像領域における前記撮影位置を示す位置指標を、前記一部の画像領域と対応付けて表示する請求項１５又は１６に記載の眼科装置。
【請求項１８】
前記制御手段は、合成前の前記隅角画像である第１隅角画像と、前記第１隅角画像を含んでコラージュされた前記合成画像と、を同時に、または、切り替えて表示し、前記第１隅角画像と，前記合成画像において前記第１隅角画像と対応する画像領域と，のそれぞれに、共通する前記位置指標を対応付けて表示する請求項１７記載の眼科装置。
【請求項１９】
前記制御手段は、合成前の前記隅角画像である第１隅角画像と、前記第１隅角画像を含んでコラージュされた前記合成画像と、を同時に、または、切り替えて表示し、
前記合成画像において前記第１隅角画像と対応する画像領域を強調する指標を、前記第１隅角画像における位置指標として表示する、請求項１７記載の眼科装置。
【請求項２０】
前記制御手段は、前記被検眼の隅角全周を表す前記隅角画像である全周画像と、前記隅角全周の一部の領域を表す前記隅角画像である部分画像と、を同時に、または、切り替えて表示し、
前記部分画像と，前記全周画像において前記部分画像と対応する画像領域と，のそれぞれに、共通する前記位置指標を対応付けて表示する請求項１１〜１７のいずれかに記載の眼科装置。
【請求項２１】
前記制御手段は、前記被検眼の隅角全周を表す前記隅角画像である全周画像と、前記隅角全周の一部の領域を表す前記隅角画像である部分画像と、を同時に、または、切り替えて表示し、
前記全周画像において前記部分画像と対応する画像領域を強調する指標を、前記部分画像における位置指標として表示する、請求項１１〜１７のいずれかに記載の眼科装置。
【請求項２２】
前記制御手段は、前記モニタ上に同時に表示される各々の前記隅角画像における前記表示位置と前記被検眼における各々の前記撮影位置との対応関係を、上下左右一致させる第１の表示方法と、前記モニタ上に同時に表示される各々の前記隅角画像における前記表示位置と前記被検眼における各々の前記撮影位置との対応関係を、前記正立表示の場合に対して反転させる第２の表示方法との間で選択し、
更に、前記位置指標のモニタ上における表示位置を、選択した表示方法に応じて切換える請求項１６記載の眼科装置。
【請求項２３】
前記制御手段は、前記第１の表示方法を選択した場合に、各々の隅角画像を、前記被検眼における上下左右と前記モニタ上の前記隅角画像における上下左右とが一致する正立像として表示させ、前記第１の表示方法を選択した場合に、各々の隅角画像を、前記正立像に対する鏡像または倒立像により表示させる請求項２２記載の眼科装置。
【発明の詳細な説明】
【技術分野】
【０００１】
本発明は、被検眼の隅角画像の取得および表示を行う眼科装置に関する。
【背景技術】
【０００２】
緑内障診断において、被検眼の隅角（前房隅角）を観察することが有用である。隅角の観察は、従来、隅角鏡（ゴニオレンズ）を介して検者が目視で行っていた。隅角鏡の一種として、反射型の機器が知られている。反射型では、隅角が鏡像によって観察される。また、隅角鏡の一種として、屈折型の機器が知られている。屈折型では、隅角が正立像（または倒立像）によって観察される。【０００３】
隅角観察に関して、近年では、隅角を撮影する種々の装置が提案されている（例えば、特許文献１参照）。
【先行技術文献】
【特許文献】
【０００４】
【特許文献１】国際公開２０１５／１８０９２３号
【発明の概要】
【０００５】
例えば、鏡像による隅角観察の場合、不慣れな検者は、観察像と、被検眼における実際の組織との対応関係を把握することが難しかった。
【０００６】
また、例えば、隅角鏡には、隅角が反射像によって観察される反射型の機器と、正立像（または倒立像）によって観察される屈折型の機器と、が長らく存在している。故に、正立像、鏡像、或いは、倒立像のうち、いずれが好ましいと考えるかは、検者毎に異なっている。
【０００７】
本開示は、従来技術の問題点の少なくとも１つを解決し、隅角画像を良好に表示することを目的とするものである。
【０００８】
本開示の第一態様に係る眼科装置は、被検眼の隅角領域へ光を投光する投光光学系、および、前記隅角領域からの反射光を受光する受光素子を有する受光光学系、を持つ撮影光学系によって撮影された被検眼の隅角画像の画像データを取得する、画像データ取得手段と、前記画像データに基づいて前記隅角画像をモニタへ表示させる制御手段であって、前記被検眼における上下左右と前記モニタ上の前記隅角画像における上下左右とが一致する正立像として表示する正立表示と、前記正立像に対する鏡像または倒立像により表示する反転表示と、の間で前記隅角画像の表示方法を選択する、制御手段と、を有する。
【０００９】
本開示の第２態様に係る眼科装置は、被検眼の隅角領域へ光を投光する投光光学系、および、前記隅角領域からの反射光を受光する受光素子を有する受光光学系、を持つ撮影光学系によって撮影された被検眼の隅角画像の画像データを、取得する画像データ取得手段と、前記画像データに基づいて前記隅角画像をモニタへ表示させると共に、前記隅角領域上の位置を前記隅角画像の全体または一部と対応付けて示す位置指標を前記モニタ上に出力する、制御手段と、を有する。
【００１０】
本開示によれば、隅角画像を良好に表示できる。
【図面の簡単な説明】
【００１１】
【図１】実施例の眼科装置の概略構成を示した模式図である。
【図２】撮影光学系の一例を示した模式図である。
【図３】制御系の一例を示したブロック図である。
【図４】実施例の眼科装置によって撮影される隅角画像を示した図である。
【図５Ａ】正立像による全周画像を模した図である。
【図５Ｂ】図５Ａに対する倒立像（１８０°反転）を模した図である。
【図５Ｃ】図５Ａに対する鏡像を模した図である。
【図６】装置の動作を示したフローチャートである。
【図７】アライメント動作を示したフローチャートである。
【図８】アライメント時に表示される画面を示した図である。
【図９】第１のレイアウトによる撮影結果の一覧表示画面を示している。
【図１０】第２のレイアウトによる撮影結果の一覧表示画面であって、反転表示の場合を示している。
【図１１】第２のレイアウトによる撮影結果の一覧表示画面であって、正立表示の場合を示している。
【図１２】第３のレイアウトによる撮影結果の一覧表示画面を示している。
【発明を実施するための形態】
【００１２】
「概要」
以下、実施形態に基づいて、本開示の眼科装置を説明する。実施形態に係る眼科装置（図１〜図３参照）は、画像データ取得部と、制御部と、を少なくとも備えていてもよい。眼科装置は、撮影光学系によって撮影された被検眼の隅角画像の画像データを、画像データ取得部によって取得する。そして、眼科装置は、画像データに基づく隅角画像の表示制御を制御部によって行う。
【００１３】
＜隅角画像の画像データ取得＞
隅角画像は、被検眼の隅角領域からの反射光に基づいて形成（撮影）された反射画像（図４参照）であってもよい。隅角領域は、被検眼の隅角、および、その近傍を含む領域であってもよい。
【００１４】
眼科装置は、撮影光学系を備えてもよい（図２参照）。この場合、撮影光学系による撮影の結果として、隅角画像の画像データが取得されてもよい。例えば、眼科装置のプロセッサがアクセス可能なメモリに、画像データが記憶されることによって、画像データが「取得」される。なお、隅角画像の画像データは、静止画像の画像データであってもよいし、動画像の画像データであってもよい。
【００１５】
撮影光学系を有する場合、眼科装置における撮影処理部によって、隅角画像の画像データが、受光信号に基づいて生成および取得されてもよい。撮影処理部としては、例えば、眼科装置の動作を司るプロセッサが利用されてもよいし、専用の処理装置が利用されてもよい。
【００１６】
＜撮影光学系＞
撮影光学系（図２参照）は、被検眼の隅角領域を撮影するために利用される。撮影光学系は、撮影光軸に沿って、隅角領域への光の投光、および、隅角領域からの戻り光の受光を行う。
【００１７】
撮影光学系は、隅角の表面組織における撮影範囲の全体に対して光を照射し、撮影範囲からの戻り光を受光素子によって受光する構成であってもよい。以下の実施形態の説明では、主に、１枚の隅角画像の撮影範囲は、隅角全周の一部であるものとする。但し、必ずしもこれに限られるものではなく、撮影範囲が、隅角全周に及んでいてもよい。また、撮影光学系は、撮影範囲の大きさを切換え可能であってもよく、撮影範囲の大きさが互いに異なる隅角画像を撮影可能であってもよい。例えば、１枚で隅角の全周を撮影した全周画像と、隅角全周のうち一部の隅角領域を撮影した部分画像と、を切換えて撮影可能であってもよい。なお、撮影範囲は、例えば、１回の撮影トリガの入力に基づいて撮影（画像化）される隅角の領域のことをいう。
【００１８】
受光素子は、撮像素子等の二次元受光素子であってもよい。二次元受光素子は、受光面に結像される隅角の像を、隅角画像として撮影する。但し、撮影光学系は、必ずしもこれに限られるものではない。例えば、撮影光学系は、ラインスキャン、または、二次元スキャンタイプの光学系であってもよい。この場合、撮影範囲に対して光をスキャン（ラインスキャンまたは二次元スキャン）することにより、スキャン毎の戻り光の受光信号に基づいて、隅角画像の画像データが生成されてもよい。隅角画像の画像データは、画像の上下左右と、画像内における被写体の上下左右とが一致する正立像であってもよいし、正立像に対する鏡像または倒立像であってもよい。つまり、正立像に対して反転された画像であってもよい。
【００１９】
撮影光学系は、投光光学系と、受光光学系と、を少なくとも有する。投光光学系は、被検眼の隅角領域へ、光を投光する。投光光学系から投光される光は、可視光であってもよいし、不可視光（例えば、赤外光）であってもよい。また、単色光であってもよいし、多色の光であってもよい。受光光学系は、隅角領域からの反射光を受光する受光素子を、少なくとも有する。
【００２０】
撮影光学系は、固視光軸に対して傾斜し、且つ、隅角領域へ向かう、撮影光軸を有してもよい。この撮影光軸を介して、隅角領域に対する光が投受光される。固視光軸は、例えば、被検眼に対する固視標の投影光軸である。固視標が投影される場合、眼科装置は、固視標を投影するための固視光学系を、更に有していてもよい。
【００２１】
撮影光学系には、次のような対物光学系が設けられていてもよい。即ち、光源からの光を折り曲げることにより、撮影光軸を固視光軸に対して傾斜させて被検眼の隅角領域に導く、対物光学系が設けられていてもよい。撮影光学系における対物光学系は、反射系であってもよい。つまり、対物光学系には、ミラー、または、プリズム等の光を反射する部材が含まれていてもよい。対物光学系は、撮影光学系において、最も被検眼側に配置されてもよい。対物光学系によって、光源からの光であって装置の内部から外部に向かう光が、固視光軸に向けて折り曲げられる（例えば、反射される）。これによって、固視光軸に対して傾斜した撮影光軸が形成されてもよい。なお、対物光学系は、必ずしも反射系に限定されるものではなく、一部、または、全体が、屈折系（例えば、レンズ系）によって形成されていてもよい。
【００２２】
＜隅角画像の撮影位置の切換＞
眼科装置が撮影光学系を有する場合、隅角の全周に対する撮影光学系における撮影位置を変位させる切換部（「撮影位置切換部」ともいう）を、更に有してもよい。切換部が設けられていることで、隅角の全周における複数の撮影位置において隅角画像を撮影できる。結果、眼科装置は、複数の撮影位置で撮影された隅角画像の画像データを取得できる。このとき、更に、撮影条件を示す撮影条件データの一種として、それぞれの隅角画像の撮影位置を示すデータ（「撮影位置データ」と称す）を、それぞれの隅角画像と対応づけて取得（例えば、メモリに記憶）してもよい。
【００２３】
なお、眼科装置は、予め定められた複数の撮影位置の中から１つを選んで隅角画像を撮影する装置であってもよいし、隅角の全周から任意に撮影位置を設定して隅角画像を撮影する装置であってもよい。
【００２４】
撮影光軸が固視光軸に対して傾斜している場合、切換部は、例えば、撮影光軸を、固視光軸周りに回転させるユニットであってもよい。切換部は、撮影光学系の一部、または、全体を、固視光軸の周りに回転させることで、撮影光軸を固視光軸周りに回転させてもよい。この場合、切換部は、モーターなどの駆動源を有していてもよい。また、この場合、撮影毎の回転位置を示すデータが、撮影位置を示す撮影位置データとして利用されてもよい。
【００２５】
また、撮影光学系がスキャンタイプの光学系である場合、照明光を走査する光スキャナが、切換部として利用され得る。この場合、光スキャナの駆動位置（つまり、走査範囲）を示すデータが、撮影位置データとして利用されてもよい。
【００２６】
なお、撮影位置データは、例えば、切換部の駆動位置の検出結果であってもよいし、駆動位置の指令データであってもよい。切換部の駆動位置の検出結果として、撮影位置データが取得される場合、駆動位置を検出するセンサ（例えば、上記の回転位置を検出するセンサ）を有していてもよく、センサからの検出信号に基づいて撮影位置データが取得されてもよい。
【００２７】
なお、切換部は必ずしもこれに限られるものでない。例えば、固視光軸に対して傾斜された撮影光軸を固視光軸周りに回転させるのではなく、切換部は、被検眼の視線の向きが大きく変位されるように、固視を誘導する構成であってもよいし、被検眼と装置との３次元的な位置関係を調整する構成であってもよいし、これらを組み合わせた構成であってもよい。
【００２８】
＜隅角画像の表示制御＞
制御部（図３参照）は、隅角画像の表示処理を少なくとも行う。制御部としては、例えば、眼科装置の動作を司るプロセッサが利用されてもよいし、専用の処理装置が利用されてもよい。
【００２９】
本実施形態では、表示処理の結果として、モニタ上に、被検眼の隅角画像が、１枚ないしは複数枚表示される。複数枚の隅角画像がモニタ上に同時に表示される場合、各々の画像は、隅角全周における撮影位置が互いに異なるものであってもよい。
【００３０】
また、複数枚の隅角画像を、モニタ上に同時に表示することは、少なくとも１枚の合成画像を表示することによって行われてもよい。合成画像は、複数枚の隅角画像がコラージュされた画像である。
【００３１】
制御部は、撮影位置が隣接する複数枚の隅角画像がコラージュされることで、１枚の画像に対して広範囲な合成画像を形成し、合成画像をモニタへ表示させてもよい。このとき、例えば、隅角の全周分に相当する複数枚の隅角画像がコラージュされてもよい。隅角の全周分に相当するコラージュ画像は、直線状の画像として生成されてもよいし、円環状の画像として生成されてもよい。但し、コラージュ画像は、必ずしも全周分に相当するものである必要は無く、例えば、全周の一部に相当する複数枚の隅角画像がコラージュされてもよい。一具体例としては、隅角全周を、ｎａｓａｌ，ｓｕｐｅｒｉｏｒ，ｔｅｍｐｏｒａｌ，ｉｎｆｅｒｉｏｒの４つのパートに分けて、パート毎にコラージュ画像を生成してもよい。
【００３２】
複数枚の隅角画像がモニタ上で同時に表示される場合、各画像の表示位置は、隅角の全周における撮影位置と予め対応付られていてもよい。このとき、撮影位置同士の位置関係に応じて、表示位置が設定されていてもよい。例えば、被検眼を正面視するときの位置関係で各隅角画像がモニタ上に配置されるように、各々の隅角画像の表示位置が設定されていてもよい。具体的には、図５Ａ，図１０に示すように、複数枚の隅角画像が、被検眼を正面視したときの位置関係にて、モニタ上に円環状に配置されてもよい。
【００３３】
＜表示方法の選択＞
本実施形態において、制御部は、正立表示と反転表示との間で、隅角画像の表示方法を選択する。正立表示が選択された場合、隅角画像は、正立像としてモニタ上に表示されるようになる。反転表示が選択された場合、隅角画像は、正立像に対する鏡像または倒立像として、モニタ上に表示されるようになる。正立像では、モニタ上の隅角画像における上下左右が、被検眼における上下左右と一致する。また、鏡像は、正立像が一軸に関して鏡像反転されたものであり、倒立像は、正立像が１８０°回転されたものである。
【００３４】
表示方法は、検者による操作入力に基づいて制御部が選択してもよい。この場合、検者が所望する表示方法で、隅角画像を観察することができる。つまり、従来の隅角鏡（ゴニオレンズ）を用いた目視による隅角検査に習熟した検者にとっては、反転像で観察することが好ましい場合が考えられ、一方で、隅角検査に不慣れな検者にとっては、正立像で観察することが好ましいと考えられる。検者による操作入力に基づいて表示方法が選択できる結果として、隅角画像による観察・診断が良好に行われやすくなる。
【００３５】
また、隅角画像の表示方法は、装置の状態に応じて制御部が自動的に選択してもよい。例えば、制御部は、被検眼と装置とのアライメントが行われる場合に、アライメント用の観察画像として正立像による隅角画像を、モニタへ表示してもよい。モニタ上の隅角画像から把握されるアライメントズレの方向と、装置から見たアライメントズレの方向と、が一致するので、アライメントずれが何れの方向に生じているかを、検者がモニタ上の隅角画像から把握しやすくなる。
【００３６】
複数枚の隅角画像が、各々の撮影位置と対応するモニタ上の表示位置に表示される場合において、各々の隅角画像におけるモニタ上の表示位置が、選択された表示方法に応じて切換えられてもよい。
【００３７】
図５Ａ〜図５Ｃを用いて、表示位置の切換の一例を示す。図５Ａにおけるドーナツ状領域Ｄは正立像による全周画像を模しており、図５Ｂは、図５Ａに対する倒立像（１８０°反転）を模しており、図５Ｃは、図５Ａに対する鏡像を模している。ここで、全周画像内の撮影位置を、「０」〜「１５」の数字で示している。なお、図５Ｃにおいて各々の数に沿えた「＃」は、各領域において正立像に対するミラー反転が行われていることを示している。
【００３８】
図５Ａに示すように、例えば、正立表示が表示方法として選択された場合は、モニタ上における各隅角画像の表示位置と、被検眼における各々の撮影位置との対応関係を、上下左右一致させる。
【００３９】
一方、反転表示が表示方法として選択された場合は、図５Ｂ、図５Ｃに示すように、モニタ上における各隅角画像の表示位置と、被検眼における各々の撮影位置との対応関係を、正立表示の場合に対して反転させる。このとき、例えば、正立表示の場合に対し、隅角全周上での撮影位置が対角な関係（換言すれば、視軸に関して対象な関係）となる、少なくとも２枚の隅角画像の間で表示位置が入れ替わってもよい。
【００４０】
例えば、正立表示と倒立表示との間で切換られる場合は、各隅角画像の表示位置を画像と共に画面上で１８０°回転させてもよい（図５Ｂ参照）。
【００４１】
また、例えば正立表示と鏡像表示との間で切換えられる場合は、各隅角画像の表示位置を画像と共に、一つの軸に関して鏡像反転させてもよい。
【００４２】
ところで、従来の反射型の隅角鏡では、中心軸の周りに複数枚（３〜６枚程度）の反射面を有しており、このような隅角鏡を介した観察では、隅角全周が反射面毎に分割されて行われる。すなわち、反射面の数に応じて分割された領域の鏡像が観察される。そこで、例えば、制御部は、正立表示と鏡像表示との間で表示位置が切換えられる場合は、隅角全周を複数のパートに分け（例えば、ｎａｓａｌ，ｓｕｐｅｒｉｏｒ，ｔｅｍｐｏｒａｌ，ｉｎｆｅｒｉｏｒの４つのパートに分け）、鏡像反転と表示位置の変更とがパート単位で行ってもよい（図５Ｃ参照）。
【００４３】
以上のように、各々の隅角画像におけるモニタ上の表示位置が、選択された表示方法に応じて切換わることで、正立表示と反転表示とのいずれが選択される場合においても、隅角全周における各位置と、隅角画像との対応関係を検者が良好に把握しやすくなる。
【００４４】
＜位置指標＞
制御部は、隅角画像と共に、隅角領域上の位置を、隅角画像の全体または一部と対応付けて示す位置指標を、モニタへ出力してもよい。
【００４５】
隅角画像において描写される隅角領域の向きを特定する情報が、位置指標として出力されてもよい。位置指標は、各撮影位置の絶対位置を示してもよいし、撮影位置同士の相対位置を示してもよい。また、位置指標は、隅角全周において予め定められた位置を示すものであって、予め定められた位置と対応する画像領域を示す情報であってもよい。
【００４６】
位置指標は、文字、数字、および、記号等のテキスト情報であってもよいし、図形等のグラフィカルな情報であってもよい。勿論、位置指標は、その他の方法で撮影位置を示す情報であってもよい。
【００４７】
位置指標の基となっている撮影位置は、例えば、隅角画像と対応し、且つ、隅角画像と共に予め取得された撮影条件データに基づいて特定される。制御部は、撮影条件データに基づいて特定される撮影位置を示す位置指標を、モニタへ出力する。隅角領域上の位置を、隅角画像の全体または一部と対応付けて示す位置指標によって、検者は、隅角画像と、被検眼において撮影された部位との対応付けを容易に行うことができる。
【００４８】
複数枚の隅角画像がモニタ上に表示される場合に、全ての隅角画像に対して位置指標が表示されてもよいし、一部の隅角画像に対して位置指標が表示されてもよい。また、１枚の隅角画像含まれる画像領域毎に、位置指標が表示されてもよい。
【００４９】
例えば、隅角全周を表す隅角画像である全周画像と、隅角全周の一部の領域を表す隅角画像である部分画像と、が、モニタ上において、同時に、または、切り替えて表示される場合において、制御部は、次のようにして位置指標を表示してもよい。例えば、部分画像と，全周画像において部分画像と対応する画像領域と，のそれぞれに、共通する位置指標を対応付けて表示してもよい。また、全周画像において部分画像と対応する画像領域を強調する指標を、部分画像における位置指標として表示してもよい。このような表示が行われることにより、部分画像と、全周画像において部分画像と対応する領域との対応関係を、容易に検者が把握できる。
【００５０】
なお、全周画像は、撮影位置が互いに異なる複数枚の隅角画像をコラージュした合成画像であってもよい。合成画像の場合、部分画像における周辺部分の情報を、他の部分画像と合成された結果として、検者が把握し難くなる場合があり得る。これに対し、合成画像だけでなく、部分画像が表示されることによって、各々の部分画像の周辺部分についても、検者が良好に観察できる。
【００５１】
また、正立表示と倒立表示との間での表示方法の切換によって、モニタ上に表示される複数枚の隅角画像の表示位置が変化すると、各々の隅角画像における撮影位置を、検者が把握し難くなることが考えられる。しかし、本実施形態では、撮影位置を示す位置指標が、隅角画像の全体または一部と対応付けられて表示される。このため、モニタ上における複数の隅角画像の表示位置が変化したとしても、各々の隅角画像における撮影位置を、検者が容易に把握できる。また、位置指標のモニタ上における表示位置は、選択した表示方法に応じて切換えられてもよい。
【００５２】
＜アライメント駆動部＞  
眼科装置は、更に、アライメント駆動部を有していてもよい。アライメント駆動部は、被検眼と撮影光学系との位置関係を変更する。この場合、被検眼と撮影光学系とを相対的に移動させることによって、アライメント調整を行う。アライメント駆動部は、前後方向、左右方向、および、上下方向のいずれの方向に関する位置関係を変更してもよい。
【００５３】
例えば、アライメント駆動部は、撮影光学系を被検眼に対して移動させるユニットであってもよい。アライメント駆動部は、メカニカルな機構であってもよいし、電動アクチュエータにより撮影光学系を移動させる機構であってもよいし、両者を含む機構であってもよい。アライメント駆動部は、例えば、操作部（例えば、ジョイスティック等）の操作に応じて手動で駆動されてもよいし、例えば、隅角画像に基づいて自動的に駆動されてもよい。
【００５４】
＜アライメントに関する動作＞
例えば、隅角における特徴部を利用して、被検眼と撮影光学系とのアライメント調整が行われてもよい。以下の「実施例」では、主に、線維柱帯を特徴部として説明する。但し、線維柱帯以外の組織が、特徴部として利用されてもよい。他の特徴部として、Ｓｃｈｗａｌｂｅ（シュワルベ）線、強膜岬、毛様体帯、虹彩、病変による特徴部等を利用し得る。
【００５５】
本実施形態における特徴部を利用したアライメントでは、制御部によって隅角画像の撮影が実行され、その隅角画像に含まれる特徴部の位置に基づいて、被検眼と撮影光学系との位置関係が調整され、その結果として、特徴部が撮影範囲に良好に含まれるようになる。
【００５６】
「実施例」
以下、図面を参照して、本開示に係る眼科装置の実施例を示す。実施例に係る眼科装置１は、隅角撮影装置である。眼科装置１は、被検眼の隅角の反射画像（図４参照）を撮影する。
【００５７】
＜装置構成＞
図１を参照して、眼科装置１における概略的な装置構成を説明する。なお、以下の説明では、図１に示すＸ方向を左右方向、Ｙ方向を上下方向、Ｚ方向を前後方向として説明する。
【００５８】
眼科装置１は、被検眼Ｅの視軸に対して、斜め方向に照明光を照射する。つまり、眼科装置１における撮影光軸は、固視光軸に対して傾斜し、且つ、隅角領域へ向かっている。眼科装置１は、撮影光軸に沿って、隅角領域からの反射光の受光を行い、これにより、被検眼の隅角領域における反射画像を、隅角画像として撮影する。
【００５９】
図１に示すように、眼科装置１は、基台３、アライメント機構４，５ａ，５ｂ、顔支持ユニット６、ジョイスティック７、モニタ８、および、光学ユニット１０等、を有する。
【００６０】
光学ユニット１０は、隅角の反射像の撮影に利用される主要な光学系を有する。光学系の詳細は、図３を参照して後述する。実施例において、光学ユニット１０は、カバー１０ａ内に収容される。但し、先端部１１については、カバー１０ａの外に露出される。
【００６１】
基台３は、アライメント機構４，５ａ，５ｂ、および、顔支持ユニット６を、支持する。
【００６２】
本実施例におけるアライメント機構４，５ａ，５ｂは、移動台４と、ＸＹＺ駆動部５ａ，５ｂとに大別される。このうち、移動台４は、メカニカルな機構によって作動され、ＸＹＺ駆動部５ａ，５ｂは、電動式のアクチュエータによって作動される。
【００６３】
移動台４は、基台３の上に配置され、基台３との間に、メカニカルな移動機構を有する。この移動機構は、ＸＺ方向に移動台４を移動させ、その結果、ＸＺ方向に関する被検眼Ｅと光学ユニット１０との位置関係を調整する。検者は、ジョイスティック７を操作することによって、移動台４を基台３に対して移動させる。
【００６４】
本実施例におけるＸＹＺ駆動部５ａ，５ｂは、移動台４の上に更に積載されている。ＸＹＺ駆動部５ａ，５ｂは、眼科装置１の制御部８０（図３参照）からの制御信号に基づいて、光学ユニット１０をＸＹＺの各方向に移動させる。結果、ＸＹＺの各方向に関して、被検眼Ｅと光学ユニット１０との位置関係が調整される。
【００６５】
モニタ８は、検者側の筐体側面に配置されている。モニタ８は、光学ユニット１０を介して撮影された隅角画像を表示する表示部であってもよい。
【００６６】
＜光学系＞
次に、図２を参照して、光学ユニット１０に設けられた光学系を説明する。光学ユニット１０は、撮影光学系３０を少なくとも有している。また、本実施例では、更に、固視光学系７０を有している。
【００６７】
＜固視光学系＞
便宜上、まず、固視光学系７０を説明する。固視光学系７０は、少なくとも、固視光源（固視標）７１を、有する。また、図２において、固視光学系７０は、更に、アパーチャ７２、レンズ７３、および、ミラー７４、を有する。光源７１から出射された光（固視光束）は、アパーチャ７２を介して、レンズ７３を通過することで、所定の光束径でコリメートされる。コリメートされた光が、ミラー７４によって折り曲げられる。そして、固視光束は、レンズ４９，および，対物反射部５０（本実施例では、プリズム）の中心部を通過して被検眼Ｅに対して投影される。ここで、ミラー７４は、撮影光学系３０において隅角へ投受光される照明光を、遮らない位置に配置される。例えば、レンズ４９の中央部に配置される。
【００６８】
図２では、固視光学系７０の光軸（より詳細には、固視光学系７０の光軸のうち、ミラー７４から被検眼Ｅまでの範囲）を、Ｌ１の符号で表す。また、Ｌ１を、固視光軸と称する。図２に示す撮影光学系３０の各部材は、固視光軸Ｌ１を基準として配置されている。
【００６９】
＜撮影光学系＞
撮影光学系３０は、投光光学系４０と、受光光学系６０と、を有する。また、撮影光学系３０は、撮影光軸Ｌ２を有する。撮影光軸Ｌ２は、固視光軸Ｌ１に対して傾斜配置され、且つ、被検眼Ｅの隅角へ向かう。
【００７０】
投光光学系４０は、対物反射部５０と、光偏心部４８と、を、少なくとも有する。また、実施例において、投光光学系４０は、光源４１、レンズ４２、アパーチャ４３、レンズ４４、ミラー４５、リングアパーチャ４６、穴開きミラー４７、レンズ４９、を、有している。
【００７１】
光源４１は、隅角に照射される照明光の光源である。本実施例において、光源４１は、可視光を出射する。以下の説明では、隅角画像をカラー画像として得るために、波長域が異なる複数色の光（例えば、白色光）を、少なくとも出射可能であるものとする。
【００７２】
光源４１からの光（照明光）は、レンズ４２、アパーチャ４３、レンズ４４、ミラー４５、リングアパーチャ４６、および、穴開きミラー４７、を経由して、光偏心部４８に入射される。
【００７３】
ここで、リングアパーチャ４６は、撮影光学系３０の内部での反射による迷光を抑制するために設けられている。例えば、レンズ４８ｃ，レンズ４９等の光源４１側の表面による反射が、リングアパーチャ４６によって抑制される。
【００７４】
また、穴開きミラー４７は、投光光学系４０と、受光光学系６０との光路を分岐させる光路分岐部の一例である。穴開きミラー４７に代えて、ハーフミラー等の他のビームスプリッタが適用されてもよい。本実施例では、光源４１からの光は、穴開きミラー４７の鏡面によって、光偏心部４８に向かうように反射される。
【００７５】
なお、本実施例では、穴開きミラー４７で反射された照明光の光路中心が、固視光軸Ｌ１と同軸となっている。
【００７６】
光偏心部４８は、照明光の光路を、固視光軸Ｌ１に対して偏心させる。本実施例では、平行に配置された２枚のミラー４８ａ，４８ｂを用いて照明光の光路中心を、固視光軸Ｌ１に対して所定間隔だけ、シフトする。シフトされた照明光は、レンズ４８ｃを通過して、光偏心部４８から外に照射される。
【００７７】
レンズ４９、および、対物反射部５０は、それぞれの光軸が、光偏心部４８によって偏心された照明光の光路中心から離れた位置に配置されている。本実施例において、レンズ４９、および、対物反射部５０における、それぞれの光軸は、固視光軸Ｌ１と同軸に配置されている。
【００７８】
照明光は、レンズ４９の周辺部（光軸から離れた領域）を通過して、対物反射部５０へ導かれる。本実施例において、レンズ４９は、マイナスパワーを持つレンズであり、光偏心部４９から、固視光軸Ｌ１と略平行に出射される照明光を、固視光軸Ｌ１から離れる向きに折り曲げて、対物反射部５０に入射させる。
【００７９】
対物反射部５０は、照明光を、固視光軸Ｌ１側に折り曲げる反射面を持つ。反射面によって反射された照明光の光軸を、固視光軸Ｌ１に対して大きく傾斜するように折り曲げて、装置外部に導く。このとき、装置外部へ導かれる光軸が、本実施例における撮影光軸Ｌ２として利用される。装置からの照明光は、撮影光軸Ｌ２に沿って、被検眼Ｅの隅角領域へ照射される。
【００８０】
本実施例において、対物反射部５０には、複数枚の反射面が、光軸周りに並べられて配置されている。対物反射部５０の具体例として、本実施例では、例えば、正多角形を底面に持つ、錐台形状のプリズムが利用されるものとする。より詳細には、底面は、正１６角形であり、１６枚の側面を有するプリズムが利用される。本実施形態では、被検眼Ｅからみて、０°、２２．５°、４５°、６７．５°、９０°・・・（中略）…３３７．５°の各方向に、固視光軸Ｌ１に向けられた反射面が配置されている。なお、各々の角度は、固視光軸Ｌ１を基準とした角度である。また、説明の便宜上、０°は、水平面上（より詳細には、眼科装置１から見て、水平面上の右側）とする。
【００８１】
但し、反射面は、複数枚に分かれている必要は、必ずしもなく、一連の曲面で形成されていてもよい。また、対物反射部５０は、必ずしもプリズムである必要はなく、例えば、反射鏡であってもよい。反射鏡の場合、光軸側に反射面を持つ、筒状の多面鏡または曲面鏡であってもよい。
【００８２】
ここで、本実施例の眼科装置１は、光偏心部４８を、固視光軸Ｌ１の周りに回転させる駆動部４８ｄ（図３参照）を有する。光偏心部４８の回転に応じて、レンズ４９および対物反射部５０に対する照明光の入射位置が、固視光軸Ｌ１の周りに回転される。その結果、撮影光軸Ｌ２が固視光軸Ｌ１の周りに回転され、結果として、隅角の全周における照明光の照射位置が、変位される。
【００８３】
本実施例では、対物反射部５０（プリズム）と、角膜と、の間に、ジェルＧが介在される。ジェルＧは、照明光の角膜反射を抑制し、且つ、対物反射部５０の先端界面における屈折を緩和するために、角膜へ塗布等される。なお、ジェルＧは、図示なき保持容器に充填された状態で、角膜および対物反射部５０の先端の両方に、接していてもよい（詳細は、本出願人による「特開２００２−１７６８０号公報」等を参照）。
【００８４】
投光光学系４０が照射した照明光は、隅角領域で反射され、撮影光軸Ｌ２を辿って装置内部の受光光学系６０へ導かれる。
【００８５】
本実施例において、受光光学系６０は、撮像素子（受光素子の一例）６２を、少なくとも有する。また、受光光学系６０は、対物反射部５０、および、穴開きミラー（ビームスプリッタ）４７を、投光光学系４０と少なくとも共用する。更に、光偏心部４８、レンズ４９、等を、を投光光学系４０と共用していてもよい。また、受光光学系６０は、フォーカスレンズ６１を有する。フォーカスレンズ６１は、本実施例の撮影光学系３０におけるフォーカス変更部の一部である。フォーカスレンズ６１を光軸に沿って移動させる駆動部６１ａが、眼科装置１には設けられている。駆動部６１ａは、例えば直動アクチュエータを含んでいてもよい。
【００８６】
隅角領域からの反射光は、対物反射部５０、レンズ４９、および、光偏心部４８を介して、穴開きミラー４７へ照射される。その後、反射光は、穴開きミラー４７の開口、および、フォーカスレンズ６１、をそれぞれ通過して、撮像素子６２において結像される。結果、隅角の全周において照明光が照射された部位を撮影位置とする、隅角画像が、撮像素子６２からの受光信号に基づいて得られる。いわゆる生画像として得られる隅角画像は、正立像であってもよいし、反転像であってもよい。
【００８７】
また、光偏心部４８を回転させ、撮影光軸Ｌ２を固視光軸Ｌ１の周りに回転させることにより、隅角の全周における撮影位置を切換えることができる。前述したように、本実施例では、対物反射部５０が、１６枚の反射面を有するので、隅角の全周を１６分割してその各々を、選択的に撮影できる。
【００８８】
＜制御系＞
次に、図３を参照して、眼科装置１の制御系を説明する。眼科装置１は、制御部（プロセッサ）８０を備える。制御部８０によって、装置全体の制御処理および各種演算処理が実行される。
【００８９】
制御部８０は、ＣＰＵ、ＲＯＭ、ＲＡＭ等を含んでいてもよい。ＲＡＭには、例えば、撮影および測定に用いる一時データが格納される。
【００９０】
制御部８０は、例えば、バス等を介して、アライメント機構５ａ，５ｂ、モニタ８、光源４１、駆動部４８ｄ、駆動部６１ａ、受光素子６２、光源７１、記憶装置８１、操作部８５、等と接続される。
【００９１】
記憶装置８１は、書き換え可能な不揮発性の記憶装置である。記憶装置８１としては、ハードディスク、フラッシュメモリ、ＵＳＢメモリ等の種々の記憶装置が適用可能である。また、記憶装置８１には、例えば、眼科装置１に撮影動作等の各種動作を実行させるためのプログラムが、少なくとも格納されていてもよい。
【００９２】
眼科装置１によって撮影される隅角画像は、記憶装置８１に保存されてもよい。また、モニタ８において表示されてもよい。
【００９３】
操作部８５は、眼科装置１における入力インターフェイスである。操作部８５が検者によって操作されることによって、操作に応じた指示が、制御部８０に入力される。操作部８５としては、例えば、マウス、および、タッチパネル等のポインティングデバイスであってもよいし、キーボードであってもよい。また、眼科装置１において、アライメントのために操作されるジョイスティック７が、操作部８５の１つとして利用されてもよい。
【００９４】
＜動作説明＞
次に、図６〜図１２を参照して、眼科装置１の動作を説明する。便宜上、以下の説明では、隅角画像の撮影動作と、事前に撮影された隅角画像の表示・閲覧と、が一連の流れで実行されるものとして説明する。但し、必ずしもこれに限られるものではなく、撮影動作と表示・閲覧とは、一連に実行される必要はなく、各々独立に実行されてもよい。
【００９５】
＜撮影動作＞
まず、制御部８０は、光源７１を点灯し、固視標の投影を開始する（Ｓ１）。これにより、被検眼Ｅの視線を誘導可能となる。
【００９６】
次に、被検眼Ｅに対する撮影光学系３０のアライメントが行われる（Ｓ２）。眼科装置１におけるアライメントは、被検眼と撮影光学系３０との位置関係を、眼科装置１によって撮影される隅角画像における特徴部の位置であって、固視光軸Ｌ１を中心とする半径方向に関する位置に応じて、手動または自動で調整することによって行われる。
【００９７】
一例として、ここでは、アライメントが手動で行われる。図７，図８を参照して、眼科装置１における手動でのアライメント動作を、詳細に説明する。
【００９８】
まず、検者は、ジョイスティック７等を操作して、対物反射部５０の先端が、被検眼Ｅの角膜から数ミリ程度の距離となるように、目視で、撮影光学系３０を被検眼Ｅへと接近させる。その際、併せて、被検眼Ｅと対物反射部５０との間に、ジェルＧを介在させる。
【００９９】
例えば、対物反射部５０の先端を被検眼Ｅの角膜に接近させた後、操作部８５が操作されることで、制御部８０は、観察画像の取得および表示動作を開始する（Ｓ１１，Ｓ１２）。時系列に撮影された隅角画像が、観察画像として利用される。本実施例では、一定時間ごとに得られる時系列の静止画像が、観察画像として利用される。但し、必ずしもこれに限られるものではなく、観察画像は動画像であってもよい。
【０１００】
本実施例において、制御部８０は、複数の撮影位置の間で撮影位置を周期的に切換え、各撮影位置で隅角画像を、随時撮影する。図８に示すように、制御部８０は、各撮影位置の隅角画像を、同時にモニタ８上に表示させる。このとき、それぞれの隅角画像は、時系列に切換えられて表示される。
【０１０１】
観察画像として利用される隅角画像の撮影位置は、予め定められていてもよい。例えば、Ｘ方向およびＹ方向のうち１方向のアライメントには、撮影位置の位置関係がその１方向に沿って隅角全周において対角な関係にある（換言すれば、固視光軸Ｌ１に対して対称な関係にある）２枚の隅角画像が利用される。本実施例では、Ｘ方向およびＹ方向の両方に関するアライメントを隅角画像に基づいて行うので、眼科装置１は、隅角の全周における０°、９０°、１８０°、２７０°の４つの撮影位置で隅角画像を取得し、観察画像として表示する。
【０１０２】
なお、制御部８０は、光偏心部４８を、０°の位置から、１／４周分ずつ（つまり、９０°ずつ）回転させ、１／４周分の回転毎に、回転を一時停止させる。そして、停止した際に、制御部８０は、投光光学系４０から照明光を照射させ、隅角画像の撮影を行う。このように、隅角画像の撮影は、回転が停止している間に行われてもよい。アライメントの間、制御部８０は、光偏心部４８を繰り返し回転させると共に、隅角画像の撮影を繰り返す。
【０１０３】
そして、０°、９０°、１８０°、２７０°の４つの撮影位置で得られた隅角画像が、観察画像として、モニタ８上に表示される。このとき、制御部８０は、正立表示と、反転表示とのうち、正立表示を選択し、隅角画像を表示させる（Ｓ１２）。また、撮影光学系３０から見た各撮影位置の位置関係と、モニタ８上における各隅角画像の位置関係とが、上下左右一致するように、４つの隅角画像の表示位置が設定される。
【０１０４】
このような観察画像に基づいて、被検眼Ｅに対する撮影光学系３０のアライメント状態が、検者によって把握される。正立表示の場合、被検眼Ｅにおける上下左右とモニタ８上の隅角画像における上下左右とが一致する。また、モニタ８上における各隅角画像の位置関係も、撮影光学系３０から見た各撮影位置の位置関係と一致する。このため、ＸＹ方向に関するアライメントズレの方向（および、アライメントズレを解消させるうえで撮影光学系３０を移動させるべき方向）が、モニタ８上の隅角画像から直感的に把握しやすくなる。結果、手動でのアライメント調整がスムーズに行われやすくなる。
【０１０５】
このように、観察画像が表示される場合において、各々の観察画像と対応付けて、位置指標が表示されてもよい。位置指標が表示されることで、検者は、アライメントズレの方向を、より良好に把握できる。図８に示すように、右眼の場合、０°の撮影位置の画像（つまり、鼻側の撮影位置の画像）に対して「Ｎ」、９０°の撮影位置の画像（つまり、上側の撮影位置の画像）に対して「Ｓ」、１８０°の撮影位置（つまり、こめかみ側の撮影位置の画像の画像に対して「Ｔ」、２７０°の撮影位置の画像（つまり、下側の撮影位置の画像に対して「Ｉ」の文字による位置指標が、それぞれ示される。これにより、ＸＹ方向に関するアライメントズレの方向が、より確実に把握される。なお、「Ｎ」「Ｓ」「Ｔ」「Ｉ」は、それぞれ、ｎａｓａｌ，ｓｕｐｅｒｉｏｒ，ｔｅｍｐｏｒａｌ，ｉｎｆｅｒｉｏｒの頭文字である。
【０１０６】
また、本実施例では、左眼の場合に、０°の撮影位置の画像に対して示される位置指標と、１８０°の撮影位置の画像に対して示される位置指標とが、右目の場合に対して入れ替わる。制御部８０は、各隅角画像と対応付けて、被検眼が右眼と左眼とのうちいずれであるかを示す左右眼識別情報を、予め取得していてもよい。そして、上記した左右眼識別情報に基づいて、少なくとも一部の位置指標を切換えて表示してもよい。左右眼識別情報は、例えば、操作部８５への操作入力に基づいて取得されてもよい。また、隅角画像の撮影時における基台３に対する移動台４の位置を検出することで、左右の眼のうちいずれが撮影されるか特定できる場合は、上述の移動台４の位置検出信号に基づいて、左右眼識別情報が取得されてもよい。
【０１０７】
以上のようにして観察画像が表示される場合において、検者は、以下のように、ジョイスティック７等を操作し、被検眼Ｅと撮影光学系３０との位置関係を調整することができる。
【０１０８】
隅角全周において対角な関係にある（換言すれば、固視光軸Ｌ１に対して対称な関係にある）２つの撮影位置にて２枚の隅角画像が撮影・表示される場合、その２枚の隅角画像における特徴部が、半径方向に関して同じ位置に生じるように、検者は、ジョイスティック等の操作を行う。
【０１０９】
例えば、０°、９０°、１８０°、２７０°の位置を撮影位置とする４枚の隅角画像のうち、０°の位置と、１８０°の位置と、の２枚の隅角画像に基づいて、Ｘ方向（水平方向）のアライメントが行われる。より詳細には、０°の位置と、１８０°の位置と、の２枚の隅角画像の間で、線維柱帯（特徴部の一例）の半径方向（この場合、水平方向）に関する位置が略同じとなるように、検者が操作部８５等を操作し、アライメント調整が行われる。これにより、被検眼Ｅと撮影光学系３０とのＸ方向（水平方向）に関する位置関係が調整される。
【０１１０】
また、制御部８０は、４枚のうち、９０°の位置と、２７０°の位置と、の２枚の隅角画像に基づいて、Ｙ方向（上下方向）のアライメントを行が行われる。より詳細には、９０°の位置と、２７０°の位置と、の２枚の隅角画像の間で、線維柱帯（特徴部の一例）の半径方向（この場合、垂直方向）に関する位置が略同じとなるように、検者が操作部８５等を操作し、アライメント調整が行われる。これにより、被検眼Ｅと撮影光学系３０とのＹ方向（垂直方向）に関する位置関係が調整される。
【０１１１】
次に、Ｚ方向のアライメントについて説明する。例えば、作動距離（被検眼Ｅと対物反射部５０との距離）が近いほど、線維柱帯（特徴部の一例）は隅角画像において固視光軸Ｌ１に対する遠位側に生じる。一方、作動距離が遠いほど、線維柱帯は、隅角画像において固視光軸Ｌ１側に生じる。
【０１１２】
そこで、例えば、固視光軸Ｌ１に対して撮影位置が対称な２枚の隅角画像において、線維柱帯が、隅角画像において予め定められた目標位置に配置されているか否かを、検者は確認する。この場合、目標位置は、隅角画像の中ほどに設定されていることが好ましい。アライメント調整の間、モニタ上の隅角画像（観察画像）に対して、目標位置を示すグラフィック（レチクル）が電子的に又は光学的に重畳されてもよい。例えば、図８では、レチクルとして、線維柱帯の目標位置を示す矩形状のグラフィックが、各観察画像上に重畳されている。
【０１１３】
確認の結果、線維柱帯が目標位置よりも固視光軸Ｌ１側にある場合は、被検眼Ｅへ撮影光学系３０が近付く方向に、アライメント調整を行う。一方、線維柱帯が目標位置よりも固視光軸Ｌ１に対する遠位側にある場合は、被検眼Ｅから撮影光学系３０が遠ざかる方向に、アライメント調整を行う。ここで、隅角が楕円状に形成されていることによって、Ｘ方向と、Ｙ方向との両方において、目標位置を満たす調整が難しい場合が考えられる。この場合、Ｘ方向に関する特徴部の位置と、Ｙ方向に関する特徴部との位置と、の両者の位置の中間（例えば、平均の位置）が、前述の目標位置に配置されるように、作動距離方向に関する位置関係が調整されてもよい。
【０１１４】
本実施例において、制御部８０は、手動アライメントが行われる間、各々の隅角画像における線維柱帯（特徴部の一例）を検出し、検出された特徴部の位置に基づいて、案内情報２０１を出力する。案内情報２０１は、手動アライメントにおける操作部の操作を案内する情報である。案内情報は、光学ユニット１０の適正アライメント位置への移動方向を案内する。図８における案内情報２０１は、矢印のグラフィックであったが、必ずしもこれに限られるものではない。例えば、「上」「下」等の文字によるテキスト情報であってもよいし、音声情報であってもよいし、他の情報であってもよい。
【０１１５】
以上のような、ＸＹ方向のアライメント調整、Ｚ方向のアライメント調整は、交互に、複数回繰り返し行われてもよい。本実施例では、所定のアライメント完了条件を満たしたと、隅角画像に基づいて判定される場合、或いは、操作部８５に対する操作によってアライメント完了信号が入力された場合に、アライメントに関する処理を終了させる（Ｓ１３：Ｙｅｓ）。所定のアライメント完了条件を満たさなければ、観察画像の取得および表示が継続される（Ｓ１３：Ｎｏ）。
【０１１６】
以上のようなアライメント動作の結果として、被検眼の隅角全周に対する中心と、対物反射部５０の光軸と、が略合致される。また、更に、光偏心部４８を回転させて、隅角の全周における各撮影位置で隅角画像を撮影した際に、各々の隅角画像において、特徴部である線維柱帯が、良好に含まれるようになる。
【０１１７】
図６に戻って、説明を続ける。アライメントが完了した後は、撮影動作が実行される（Ｓ３）。
【０１１８】
本実施例では、撮影動作の結果として、線維柱帯に対して合焦された隅角画像を、撮影画像として取得する。例えば、本実施例では、隅角の全周を１６分割した１６箇所の撮影位置にて隅角画像が続けて撮影される。制御部８０は、偏光部４８を制御し、１６箇所の１つに撮影位置を設定したあと、フォーカシングレンズ６１を移動させつつ、互いに異なるフォーカス状態で複数枚の隅角画像を撮影する。フォーカシングレンズ６１は、予め定められた範囲で移動される。このような撮影動作が、撮影位置を切換えて、繰り返し実行される。
【０１１９】
制御部８０は、線維柱帯に対して最も好適に合焦されている画像を撮影画像として、撮影位置毎に選択する。選択された撮影画像は、メモリ８２に記憶されてもよい。なお、このとき、各隅角画像における線維柱帯の近傍の画像領域におけるコントラストを比較することによって、撮影画像が選択されてもよい。
【０１２０】
全ての撮影位置について撮影画像が得られたら、撮影動作は終了される。各撮影位置に対し、上記撮影動作が行われた結果として、各撮影位置における線維柱帯に対して合焦された複数（ここでは、１６枚）の隅角画像を（撮影画像として）得ることができる。  
【０１２１】
このようにして撮影された隅角画像を、制御部８０は、モニタ８へ表示させてもよい（Ｓ４）。
【０１２２】
本実施例において、眼科装置１は、撮影位置が互いに異なる複数枚の隅角画像を、図９〜図１２の各図において示す、第１〜第３の３種類のレイアウトで表示させることができる。
【０１２３】
本実施例では、第１〜第３の各レイアウトで隅角画像が表示される場合において、正立表示と反転表示とのうち一方を選択するための表示方法選択ボタン２２１が、モニタ８上に設けられていてもよい。「正立表示」の選択操作が、ボタン２２１を介して入力された場合に、制御部８０は、正立表示にて、各々の隅角画像を表示させる。また、「反転表示」の選択操作が、ボタン２２１を介して入力された場合に、制御部８０は、反転表示にて、各々の隅角画像を表示させる。本実施例では、初期状態において、正立表示が選択される。但し、必ずしもこれに限らず、初期状態において、正立表示とするか反転表示とするかの設定データを、設定操作に基づいて設定・保存可能であってもよく、隅角画像が表示される際に、その設定データに基づいて、制御部８０が表示方法を選択してもよい。
【０１２４】
第１のレイアウトでは、各々の隅角画像が、そのまま（コラージュされることなく、そのまま）モニタ８上に表示される。撮影位置が互いに異なる隅角画像が、縦横に並べられてモニタ８上に表示される。具体例として、図９では、８枚の隅角画像が、２枚ずつ横並びに配置されている（つまり、縦２列に並べられている）。
【０１２５】
そして、横並びに配置された２枚の隅角画像の更に隣には、撮影位置グラフィック２１１がそれぞれ配置されている。撮影位置グラフィック２１１は、撮影位置指標の一種である。撮影位置グラフィック２１１は、各々の隅角画像における隅角全周に対する撮影位置を示している。
【０１２６】
撮影位置グラフィック２１１では、リング状の図形によって隅角の全周を模している。リング状の図形において撮影位置と対応する位置に、指標（図９では、ドット）が付加され、これによって、撮影位置が示される。図９の実施例では、１つの撮影位置グラフィック２１１によって、隅角画像２枚分の撮影位置が示されている。このような表示態様であっても、各々の隅角画像における組織の傾斜状態から、２枚の隅角画像と、撮影位置との対応関係を、検者は容易に把握できる。
【０１２７】
撮影位置グラフィック２１１では、リング状の図形における向き（より詳しくは、上下左右の向き）が、[Ｔ]，［Ｉ］，[Ｎ]，［Ｓ］の文字によって示される。また、本実施例では、この文字（主には、［Ｔ］と［Ｎ］）の位置関係によって、モニタ上に表示される隅角画像が、左右眼の画像のうちいずれであるかが、特定可能である。但し、必ずしもこれに限られるものではなく、モニタ８上に表示される隅角画像が、左右眼のいずれの画像であるかを示す情報が、撮影位置指標とは独立な情報として表示されてもよい。例えば、図９には、ＯＤ（右眼）／ＯＳ（左眼）のいずれかが、選択的にモニタ８上に表示されることによって、モニタ８上の隅角画像が左右の眼のうちいずれであるかが示されてもよい。
【０１２８】
第２のレイアウトでは、複数枚の隅角画像による円環状合成画像が表示される。図１０，図１１に示す円環状合成画像は、前述の１６箇所の撮影位置で撮影された１６枚の隅角画像が、コラージュされている。これにより、隅角の全周の状態を、検者に容易に確認させることができる。
【０１２９】
図１０，図１１には、撮影位置指標の一種として、 [Ｔ]，［Ｉ］，[Ｎ]，［Ｓ］の文字
が、円環状合成画像における上下左右の各位置と対応づけて表示される。これにより、円環状合成画像の向きを、容易に検者が把握できる。
【０１３０】
また、更に、円環状合成画像が正立表示される場合と、反転表示される場合と、のうち、一方の場合のみに、グラフィック２３１（図１１参照）が表示される。グラフィック２３１は、モニタ８上の隅角画像に関して選択されている表示方法を特定する、識別情報の一種である。グラフィック２３１は、×印であって、円環状合成画像における瞳孔部分に重畳される。例えば、×印は、正立表示される場合と、反転表示される場合と、のうち、正立表示が選択された場合に表示される。
【０１３１】
また、第２のレイアウトでは、円環状合成画像と同時に、円環状合成画像へ合成された一部の隅角画像が、モニタ８上に表示される。円環状合成画像には、一部の隅角画像と対応する領域を示す指標（ここでは、矩形上の枠線）が、一部の隅角画像の位置指標として、対応付けて表示される。これにより、検者は、一部の隅角画像と、円環状合成画像との対応関係を、良好に把握できる。
【０１３２】
第３のレイアウトでは、複数枚の隅角画像を直線的にコラージュした直線状合成画像が表示される。図１２においては、隅角全周分の直線状合成画像が、２段に分かれて示されている。但し必ずしもこれに限られるものではなく、1段で、隅角全集分の直線状合成画像が表示されてもよい。図１２には、撮影位置指標の一種として、 [Ｔ]，［Ｉ］，[Ｎ]，［Ｓ］，[ＴＳ]，［ＮＩ］，[ＮＳ]，［ＮＳ］等の文字が、直線状合成画像の各領域と対応づけて表示される。これにより、直線状合成画像の各領域と、隅角全周における各位置との対応関係を、検者は良好に把握できる。
【０１３３】
勿論、各撮影位置の隅角画像が同時に表示される必要はなく、何れかの撮影位置の画像が、選択的にモニタに表示されてもよい。
【０１３４】
以上、実施形態に基づいて本開示を説明したが、本開示は、上記形態に限定されるものではなく、種々の変容が可能である。
【０１３５】
＜表示方法の選択ウィンドウ＞
眼科装置１は、隅角画像の表示方法を、正立表示と反転表示との間で少なくとも選択可能である。表示方法は、検者による操作部の操作に基づいて、予め動作場面毎に設定可能であってもよい。これにより、制御部は、それぞれの動作場面において、予め設定された表示方法を選択し、その表示方法によって隅角画像を表示させる。
【０１３６】
但し、それぞれの動作場面において所定の操作が行われることによって、予め設定された表示方法から、別の表示方法へ随時変更可能であってもよい。
【０１３７】
＜アライメント中の表示方法選択＞
また、上記実施例では、アライメントは、正立表示が選択されるものとして説明したが、必ずしもこれに限られるものではない。例えば、自動または手動によるアライメント時においても、検者の操作に基づいて正立表示と反転表示とが選択可能であってもよい。
【図１】
2018203538.tif 000003
【図２】
2018203538.tif 000004
【図３】
2018203538.tif 000005
【図４】
2018203538.tif 000006
【図５Ａ】
2018203538.tif 000007
【図５Ｂ】
2018203538.tif 000008
【図５Ｃ】
2018203538.tif 000009
【図６】
2018203538.tif 000010
【図７】
2018203538.tif 000011
【図８】
2018203538.tif 000012
【図９】
2018203538.tif 000013
【図１０】
2018203538.tif 000014
【図１１】
2018203538.tif 000015
【図１２】
2018203538.tif 000016
【国際調査報告】
2018203538.tif 000017
2018203538.tif 000018